(57)【要約】【課題】２つの負荷をより確実に同じゼロクロスポイントで切り替える。【解決手段】ヒーター制御部６１の切替制御回路８５は、ゼロクロス検出部８０により検出された交流電源１０のゼロクロスポイントから所定の遅延時間Ｄ経過後のタイミングで、第１切替部７０と第２切替部７５との一方に通電信号を出力すると共に他方に非通電信号を出力する。そして、第１切替部７０は、通電信号又は非通電信号が入力されると、入力された以降の直近の交流電源１０のゼロクロスポイントで第１負荷４６を通電状態又は非通電状態にする。第２切替部７５についても、通電信号又は非通電信号が入力されると、入力された以降の直近の交流電源１０のゼロクロスポイントで第２負荷４７を通電状態又は非通電状態にする。こうすることで、２つの負荷をより確実に同じゼロクロスポイントで切り替えることができる。【選択図】図２
2013169130.tif 000002
【特許請求の範囲】
【請求項１】
交流電源の通電により動作する第１負荷と第２負荷とに接続され、該第１負荷及び該第２負荷のそれぞれについて通電状態にするか非通電状態にするかの切替を行う負荷制御装置であって、
所定の通電信号が入力されると該通電信号が入力された以降の直近の前記交流電源のゼロクロスポイントで前記第１負荷を通電状態にし、所定の非通電信号が入力されると該非通電信号が入力された以降の直近の前記交流電源のゼロクロスポイントで前記第１負荷を非通電状態にする第１切替手段と、
所定の通電信号が入力されると該通電信号が入力された以降の直近の前記交流電源のゼロクロスポイントで前記第２負荷を通電状態にし、所定の非通電信号が入力されると該非通電信号が入力された以降の直近の前記交流電源のゼロクロスポイントで前記第２負荷を非通電状態にする第２切替手段と、
前記交流電源のゼロクロスポイントを検出するゼロクロス検出手段と、
前記ゼロクロス検出手段により検出されたゼロクロスポイントから所定の遅延時間経過後のタイミングで、前記第１切替手段と前記第２切替手段との一方に前記通電信号を出力すると共に他方に前記非通電信号を出力する切替制御手段と、
を備えた負荷制御装置。
【請求項２】
前記切替制御手段は、前記ゼロクロス検出手段により検出されたゼロクロスポイントの時間間隔に基づいて前記遅延時間を設定する手段である、
請求項１に記載の負荷制御装置。
【請求項３】
前記切替制御手段は、前記ゼロクロス検出手段により検出されたゼロクロスポイントの時間間隔の半分の時間を前記遅延時間として設定する手段である、
請求項１又は２に記載の負荷制御装置。
【請求項４】
前記遅延時間は、前記交流電源の１／４周期として予め定められた値である、
請求項１に記載の負荷制御装置。
【請求項５】
前記第１切替手段は、前記通電信号が入力されると点灯し前記非通電信号が入力されると消灯する発光ダイオードと該発光ダイオードが点灯し且つ前記交流電源のゼロクロスポイントのタイミングのときにＧ（ゲート）端子に電流が流れてＴ１，Ｔ２端子間が導通する補助トライアックとからなるトライアックカプラーと、Ｔ１，Ｔ２端子が前記第１負荷に直列に接続されると共に該補助トライアックのＴ１，Ｔ２端子の一方が自身のＧ端子に接続されて該補助トライアックのＴ１，Ｔ２端子間の導通により自身のＴ１，Ｔ２端子が導通する主トライアックと、を有しており、
前記第２切替手段は、前記通電信号が入力されると点灯し前記非通電信号が入力されると消灯する発光ダイオードと該発光ダイオードが点灯し且つ前記交流電源のゼロクロスポイントのタイミングのときにＧ（ゲート）端子に電流が流れてＴ１，Ｔ２端子間が導通する補助トライアックとからなるトライアックカプラーと、Ｔ１，Ｔ２端子が前記第２負荷に直列に接続されると共に該補助トライアックのＴ１，Ｔ２端子の一方が自身のＧ端子に接続されて該補助トライアックのＴ１，Ｔ２端子間の導通により自身のＴ１，Ｔ２端子が導通する主トライアックと、を有している、
請求項１〜４のいずれか１項に記載の負荷制御装置。
【請求項６】
前記ゼロクロス検出手段は、入力端子に前記交流電源が接続されて該交流電源からの電圧を整流する全波整流回路と、該全波整流回路の出力端子のうち高電位側にアノードが接続されると共に低電位側にカソードが接続された発光ダイオードとフォトトランジスタとからなるフォトカプラーと、を有している、
請求項１〜５のいずれか１項に記載の負荷制御装置。
【請求項７】
前記第１負荷及び前記第２負荷は、ハロゲンランプ、ヒーター素子、ファンのいずれかである、
請求項１〜６のいずれか１項に記載の負荷制御装置。
【請求項８】
請求項１〜７のいずれか１項に記載の負荷制御装置と、
液体を吐出して媒体に画像を形成するヘッドと、
前記交流電源の通電により動作し前記媒体を加熱して該媒体に吐出された前記液体を乾燥させるヒーター素子であり、前記負荷制御装置によって通電状態となるか非通電状態となるかの切替が行われる第１負荷及び第２負荷と、
を備えた画像形成装置。
【発明の詳細な説明】
【技術分野】
【０００１】
本発明は、負荷制御装置及び画像形成装置に関する。
【背景技術】
【０００２】
従来より、画像形成装置に用いられるヒーターなどの交流電源により動作する負荷について、通電／非通電の切替を行う負荷制御装置が知られている。例えば、特許文献１に記載の電力制御装置では、ヒーター作動信号がオンされると、ゼロクロス検出回路からのゼロクロス信号がオンとなったときにＣＰＵがヒーター制御信号をオンとしてトライアックを導通させ、トライアックに直列に接続されたヒーターを通電状態にする。このように、ゼロクロス検出回路を用いてヒーターが交流電源のゼロクロスポイントで通電させるようにすることで、ヒーター通電時の突入電流を抑制することができるとしている。
【先行技術文献】
【特許文献】
【０００３】
【特許文献１】特開２００２−８４７３６号公報
【発明の概要】
【発明が解決しようとする課題】
【０００４】
ここで、特許文献１のようにゼロクロス検出回路が交流電源のゼロクロスポイントを検出したときに負荷の通電／非通電の切替信号を出力する場合において、実際に負荷が切り替わるタイミングがばらつく場合があった。例えば、ゼロクロス検出回路が検出したゼロクロスポイントと同じゼロクロスポイントで負荷が切り替わる場合もあれば、その次のゼロクロスポイントで切り替わる場合もあるなどである。このようなばらつきの原因としては、例えば交流電源の波形の歪み，電流と電圧との位相差（力率），切替信号の立ち上がり又は立ち下がりの波形の歪み，切替信号を出力するまでの遅延のばらつきなどが考えられる。このようなことが起きると、例えばゼロクロス検出回路の検出タイミングと実際のゼロクロスポイントとのずれが大きくなったり、ゼロクロス検出回路の検出タイミングからその後の切替信号の出力までの時間が安定しなかったり、切替信号が出力されてから実際に負荷が切り替わるまでの時間が安定しなかったりするため、切り替えのタイミングがばらついてしまう。
【０００５】
そして、このような現象は、特に２つの負荷の一方を通電状態とし他方を非通電状態とする切替を同時に行いたい場合において問題となる。例えば、負荷の一方があるゼロクロスポイントで先に通電状態となり他方がその後のゼロクロスポイントで非通電状態となると、２つの負荷が共に通電状態となる期間ができてしまい瞬間的に過電流状態となる。同様に、負荷の一方が先に非通電状態となり他方が後から通電状態となると、２つの負荷が共に非通電状態となる期間ができてしまい瞬間的に無負荷状態となる。瞬間的な過電流状態や無負荷状態が生じると、周辺の機器にフリッカーが生じるなどの問題や、過電流の場合にはヒューズにダメージが蓄積されて溶断しやすくなるなどの問題がある。
【０００６】
本発明は、上述した課題に鑑みなされたものであり、２つの負荷をより確実に同じゼロクロスポイントで切り替えることを主目的とする。
【課題を解決するための手段】
【０００７】
本発明は、上述の主目的を達成するために以下の手段を採った。
【０００８】
本発明の負荷制御装置は、
交流電源の通電により動作する第１負荷と第２負荷とに接続され、該第１負荷及び該第２負荷のそれぞれについて通電状態にするか非通電状態にするかの切替を行う負荷制御装置であって、
所定の通電信号が入力されると該通電信号が入力された以降の直近の前記交流電源のゼロクロスポイントで前記第１負荷を通電状態にし、所定の非通電信号が入力されると該非通電信号が入力された以降の直近の前記交流電源のゼロクロスポイントで前記第１負荷を非通電状態にする第１切替手段と、
所定の通電信号が入力されると該通電信号が入力された以降の直近の前記交流電源のゼロクロスポイントで前記第２負荷を通電状態にし、所定の非通電信号が入力されると該非通電信号が入力された以降の直近の前記交流電源のゼロクロスポイントで前記第２負荷を非通電状態にする第２切替手段と、
前記交流電源のゼロクロスポイントを検出するゼロクロス検出手段と、
前記ゼロクロス検出手段により検出されたゼロクロスポイントから所定の遅延時間経過後のタイミングで、前記第１切替手段と前記第２切替手段との一方に前記通電信号を出力すると共に他方に前記非通電信号を出力する切替制御手段と、
を備えたものである。
【０００９】
この本発明の負荷制御装置では、ゼロクロス検出手段により検出された交流電源のゼロクロスポイントから所定の遅延時間経過後のタイミングで、第１切替手段と第２切替手段との一方に通電信号を出力すると共に他方に非通電信号を出力する。そして、第１切替手段は、通電信号又は非通電信号が入力されると、入力された以降の直近の交流電源のゼロクロスポイントで第１負荷を通電状態又は非通電状態にする。第２切替手段についても、通電信号又は非通電信号が入力されると、入力された以降の直近の交流電源のゼロクロスポイントで第２負荷を通電状態又は非通電状態にする。このように、ゼロクロス検出手段により検出された交流電源のゼロクロスポイントからあえて遅延時間が経過した後のタイミングで、通電信号や非通電信号を出力するのである。これにより、第１切替手段及び第２切替手段に通電信号や非通電信号が入力されるタイミングが後ろにずれるため、第１負荷及び第２負荷のいずれも、ゼロクロス検出手段により検出されたゼロクロスポイントと同じゼロクロスポイントでは切り替わりにくくなる。ここで、例えばゼロクロス検出手段がゼロクロスポイントを検出したときに直ちに通電信号や非通電信号を出力するものとすると、例えば第１切替手段に出力した信号と第２切替手段に出力した信号とでタイミングにわずかにずれが生じるだけでも、ゼロクロス検出手段により検出されたゼロクロスポイントと同じゼロクロスポイントで第１負荷及び第２負荷の一方のみが切り替わってしまい、他方はその次のゼロクロスポイントで切り替わるということが起きやすい。本発明の負荷制御装置では、所定の遅延時間を設けることによりこのようなことをより抑制することができる。これにより、２つの負荷をより確実に同じゼロクロスポイントで切り替えることができる。また、２つの負荷をより確実に同じゼロクロスポイントで切り替えることにより瞬間的な過電流状態や無負荷状態の発生をより抑制できる。
【００１０】
本発明の負荷制御装置において、前記切替制御手段は、前記ゼロクロス検出手段により検出されたゼロクロスポイントの時間間隔に基づいて前記遅延時間を設定する手段としてもよい。こうすれば、ゼロクロスポイントの時間間隔すなわち交流電源の周期に応じて遅延時間を可変とすることができる。これにより、遅延時間を適切な値に設定しやすい。
【００１１】
本発明の負荷制御装置において、前記切替制御手段は、前記ゼロクロス検出手段により検出されたゼロクロスポイントの時間間隔の半分の時間を前記遅延時間として設定する手段としてもよい。遅延時間をゼロクロスポイントの時間間隔の半分すなわち交流電源の１／４周期の時間（位相９０°）とすると、第１切替手段及び第２切替手段に通電信号や非通電信号が入力されるタイミングが交流電圧の連続するゼロクロスポイントの中間付近となる。そのため、例えば第１切替手段に信号を出力するタイミングと第２切替手段に信号を出力するタイミングとにずれが生じたとしても、一方のタイミングのみがゼロクロスポイントをまたいでしまうということをより抑制できる。これにより、２つの負荷をより確実に同じゼロクロスタイミングで切り替えることができる。
【００１２】
本発明の負荷制御装置において、前記遅延時間は、前記交流電源の１／４周期として予め定められた値としてもよい。こうすれば、交流電源の周期が既知の値の場合には、例えばゼロクロスポイントの時間間隔に基づいて遅延時間を設定する処理を行うことなく、第１切替手段及び第２切替手段に通電信号や非通電信号が入力されるタイミングを交流電圧の連続するゼロクロスポイントの中間付近とすることができる。これにより２つの負荷をより確実に同じゼロクロスタイミングで切り替えることができる。
【００１３】
本発明の負荷制御装置において、前記第１切替手段は、前記通電信号が入力されると点灯し前記非通電信号が入力されると消灯する発光ダイオードと該発光ダイオードが点灯し且つ前記交流電源のゼロクロスポイントのタイミングのときにＧ（ゲート）端子に電流が流れてＴ１，Ｔ２端子間が導通する補助トライアックとからなるトライアックカプラーと、Ｔ１，Ｔ２端子が前記第１負荷に直列に接続されると共に該補助トライアックのＴ１，Ｔ２端子の一方が自身のＧ端子に接続されて該補助トライアックのＴ１，Ｔ２端子間の導通により自身のＴ１，Ｔ２端子が導通する主トライアックと、を有しており、前記第２切替手段は、前記通電信号が入力されると点灯し前記非通電信号が入力されると消灯する発光ダイオードと該発光ダイオードが点灯し且つ前記交流電源のゼロクロスポイントのタイミングのときにＧ（ゲート）端子に電流が流れてＴ１，Ｔ２端子間が導通する補助トライアックとからなるトライアックカプラーと、Ｔ１，Ｔ２端子が前記第２負荷に直列に接続されると共に該補助トライアックのＴ１，Ｔ２端子の一方が自身のＧ端子に接続されて該補助トライアックのＴ１，Ｔ２端子間の導通により自身のＴ１，Ｔ２端子が導通する主トライアックと、を有していてもよい。こうすれば、トライアックカプラーと主トライアックとを用いて第１負荷や第２負荷の通電状態及び非通電状態の切替を行うことができる。また、トライアックカプラーを用いるため、発光ダイオードに通電信号や非通電信号を出力する切替制御手段側の回路と、交流電源が印加される主トライアックや補助トライアックとを絶縁することができる。
【００１４】
本発明の負荷制御装置において、前記ゼロクロス検出手段は、入力端子に前記交流電源が接続されて該交流電源からの電圧を整流する全波整流回路と、該全波整流回路の出力端子のうち高電位側にアノードが接続されると共に低電位側にカソードが接続された発光ダイオードとフォトトランジスタとからなるフォトカプラーと、を有していてもよい。こうすれば、交流電源のゼロクロスポイントで発光ダイオードが消灯してフォトトランジスタがオフとなり、それ以外の場合は発光ダイオードが点灯してフォトトランジスタがオンとなるため、フォトトランジスタのオンオフによりゼロクロスポイントを検出することができる。また、交流電源からの整流後の電圧が印加される発光ダイオードとフォトトランジスタとが絶縁されるため、例えばゼロクロスポイントの検出結果を用いる切替制御手段など、フォトトランジスタに接続される回路を交流電源から絶縁することができる。
【００１５】
本発明の負荷制御装置において、前記第１負荷及び前記第２負荷は、ハロゲンランプ、ヒーター素子、ファンのいずれかであるものとしてもよい。ハロゲンランプ、ヒーター素子、ファンはいずれも比較的大きな電流で動作するため、２つの負荷をより確実に同じゼロクロスタイミングで切り替えて過電流状態や無負荷状態の発生を抑制する意義が高い。
【００１６】
本発明の画像形成装置は、
上述したいずれかの態様の本発明の負荷制御装置と、
液体を吐出して媒体に画像を形成するヘッドと、
前記交流電源の通電により動作し前記媒体を加熱して該媒体に吐出された前記液体を乾燥させるヒーター素子であり、前記負荷制御装置によって通電状態となるか非通電状態となるかの切替が行われる第１負荷及び第２負荷と、
を備えたものである。
【００１７】
この本発明の画像形成装置は、上述した本発明の負荷制御装置を備えているため、上述した本発明の負荷制御装置と同様の効果、例えば２つの負荷をより確実に同じゼロクロスポイントで切り替えることができる効果が得られる。
【図面の簡単な説明】
【００１８】
【図１】本発明の一実施形態であるプリンター２０の構成の概略を示す構成図。
【図２】ヒーター制御部６１の回路図。
【図３】ヒーター制御部６１が第１負荷４６，第２負荷を切り替えるときのグラフ。
【図４】遅延時間Ｄ＝０であり過電流状態が生じた場合の一例を示すグラフ。
【図５】遅延時間Ｄ＝０であり無負荷状態が生じた場合の一例を示すグラフ。
【発明を実施するための形態】
【００１９】
次に、本発明の実施の形態を図面を用いて説明する。図１は、本発明の一実施形態であるプリンター２０の構成の概略を示す構成図である。図１には、カバー４２及びヒーター４５を除いた構成も示した。本実施形態のプリンター２０は、インクジェット式のプリンターとして構成されており、図１に示すように、プラテン４０上に搬送された印刷媒体Ｓ（例えば記録紙）に印刷ヘッド２４から流体としてのインクを吐出して印刷を行う印刷機構２１と、駆動モーター３３による搬送ローラー３５の駆動により印刷媒体Ｓがプラテン４０上を通過するよう搬送方向上流側（図中奥）から搬送方向下流側（図中手前）に印刷媒体Ｓを搬送する搬送機構３１とを備えている。また、プリンター２０は、プラテン４０の図中右端に形成され印刷ヘッド２４を封止するキャッピング装置４１と、印刷機構２１を覆うカバー４２の裏面に取り付けられて印刷媒体Ｓを加熱するヒーター４５と、プリンター２０全体をコントロールするコントローラー５０と、交流電源１０（例えば商用電源など）に接続されプリンター２０の各部に電力を供給する電源回路６０と、交流電源１０に接続されヒーター４５を制御するヒーター制御部６１と、を備えている。このプリンター２０は、ヒーター４５により加熱して乾燥されるインクを用いて印刷媒体Ｓに印刷を行って画像を形成する画像形成装置として構成されている。
【００２０】
印刷機構２１は、キャリッジモーター３４ａの駆動に伴ってキャリッジベルト３２によりガイド２８に沿って主走査方向（左右）に往復動するキャリッジ２２と、プラテン４０上を通過する印刷媒体Ｓにインク滴を吐出して画像を形成する印刷ヘッド２４と、各色のインクを個別に収容し印刷ヘッド２４へインクを供給するインクカートリッジ２６と、を備えている。キャリッジ２２は、メカフレーム４８の右側に配置されたキャリッジモーター３４ａと、メカフレーム４８の左側に配置された従動ローラー３４ｂと、キャリッジモーター３４ａと従動ローラー３４ｂとに架設されたキャリッジベルト３２とにより、印刷媒体Ｓの搬送方向に交差する主走査方向へ移動する。キャリッジ２２の背面には、キャリッジ２２の位置を検出するエンコーダー３６が配置されており、このエンコーダー３６を用いてキャリッジ２２のポジションが管理可能となっている。
【００２１】
印刷ヘッド２４は、キャリッジ２２の下部に設けられており、圧電素子に電圧をかけることによりこの圧電素子を変形させてインクを加圧する方式により印刷ヘッド２４の下面に設けられたノズルから各色のインクを吐出するものである。なお、この印刷ヘッド２４は、発熱抵抗体に電圧をかけインクを加熱して発生した気泡によりインクを加圧する方式を採用してもよい。インクカートリッジ２６は、メカフレーム４８側に装着され、溶媒としての水に着色剤としての染料または顔料を含有したイエロー（Ｙ）、マゼンタ（Ｍ）、シアン（Ｃ）及びブラック（Ｋ）の各色のインクを個別に収容している。
【００２２】
印刷ヘッド２４には、プラテン４０上の印刷領域の温度を測定する温度センサー３８が設けられている。温度センサー３８は、鉛直方向（真下）から入射された赤外線による温度変化を電気信号として取り出すことで対象の温度を測定する非接触の焦電型赤外線センサーとして構成されており、プラテン４０上にある印刷媒体Ｓの温度を測定することが可能となっている。この温度センサー３８は、印刷ヘッド２４の移動に伴い、加熱された印刷媒体Ｓを含む１以上の箇所の温度を測定可能である。
【００２３】
プラテン４０は、印刷ヘッド２４の下方を搬送されヒーター４５によって加熱される印刷媒体Ｓを支持する部材であり、ガイド２８に沿って移動する印刷ヘッド２４に対向するように印刷ヘッド２４の主走査方向に沿って形成されている。
【００２４】
ヒーター４５は、キャリッジ２２及びプラテン４０の上側に位置しており、搬送方向下流側に配置された第１負荷４６と搬送方向上流側に配置された第２負荷４７とを備えている。第１負荷４６及び第２負荷４７は、抵抗加熱方式で発熱するヒーター素子であり、これによりヒーター４５はプラテン４０上を通過する印刷媒体Ｓを加熱して印刷媒体Ｓに吐出されたインクを乾燥させることが可能となっている。このヒーター４５は、印刷媒体Ｓと比べて主走査方向が長くなっており、印刷媒体Ｓ全体を主走査方向にわたって略均一に加熱できるようになっている。ヒーター４５の第１負荷４６、第２負荷４７は並列に接続されており、交流電源１０の通電により動作（発熱）する。本実施形態では、第１負荷４６は抵抗値がＲ，第２負荷４７は抵抗値が２Ｒであるものとした。そのため、第１負荷４６が通電状態であり第２負荷４７が非通電状態であるときの方が、第１負荷４６が非通電状態であり第２負荷４７が通電状態であるときと比べてヒーター４５の出力（発熱量）は２倍の値となる。
【００２５】
電源回路６０は、交流電源１０に接続され、交流電源１０から供給された電力をプリンター２０の各部に供給する回路である。この電源回路６０は、交流電源１０から供給された交流電力を図示しないＡＣ−ＤＣ変換回路により直流電力に変換して、印刷機構２１，搬送機構３１，コントローラー５０，ヒーター制御部６１などプリンター２０の各部に供給する。電源回路６０は、供給先の動作電圧に応じてＤＣ２０Ｖ，ＤＣ５Ｖなどの直流電圧を供給する。この電源回路６０は、ヒーター制御部６１に対してはＤＣ５Ｖを供給する直流電源Ｖｃｃとして機能するものとした。なお、直流電源Ｖｃｃは、例えばＤＣ３．３Ｖなど数Ｖ程度の電圧としてもよく、ＤＣ５Ｖに限られない。
【００２６】
ヒーター制御部６１は、交流電源１０及びヒーター４５に接続され、ヒーター４５の第１負荷４６，第２負荷４７をそれぞれ通電状態にするか非通電状態にするかの切替を行うものである。図２は、ヒーター制御部６１の回路図である。図示するように、ヒーター制御部６１は、交流電源１０に接続される一対の入力端子６２ａ，６２ｂと、入力端子６２ａと第１切替部７０，ヒーター４５との間の電路に接続され所定値以上の過電流が流れると溶断するヒューズ６５と、第１負荷４６を通電状態にするか非通電状態にするかを切り替える第１切替部７０と、第２負荷４７を通電状態にするか非通電状態にするかを切り替える第２切替部７５と、入力端子６２ａ，６２ｂを介して入力された交流電源１０のゼロクロスポイントを検出するゼロクロス検出部８０と、ゼロクロス検出部８０が検出したゼロクロスポイントに基づいて第１切替部７０，第２切替部７５に通電信号や非通電信号を出力する切替制御回路８５と、を備えている。
【００２７】
第１切替部７０は、第１負荷４６の通電状態と非通電状態とを切り替える回路であり、トライアックカプラー７１と、主トライアックＴＭ１と、抵抗Ｒ１と、トランジスタＴＲ１とを備えている。トライアックカプラー７１は、プルアップ抵抗Ｒｖ１を介して直流電源Ｖｃｃにアノードが接続されトランジスタＴＲ１のコレクターにカソードが接続された発光ダイオードＬＥＤ１と、交流電源１０のゼロクロスポイントを検出するゼロクロス回路ＺＣ１が接続された周知のゼロクロス回路付きトライアックとして構成された補助トライアックＴＳ１と、を備えている。主トライアックＴＭ１は、Ｇ（ゲート）端子に補助トライアックＴＳ１のＴ２端子が接続され、自身のＴ２端子に抵抗Ｒ１を介して補助トライアックＴＳ１のＴ１端子が接続されている。また、主トライアックＴＭ１のＴ１，Ｔ２端子は第１負荷４６と直列に接続されている。トランジスタＴＲ１は、ベースが切替制御回路８５のＶｏｕｔ１端子に接続され、エミッターがグランドに接地され、コレクターが発光ダイオードＬＥＤ１とプルアップ抵抗Ｒｖ１とを介して直流電源Ｖｃｃに接続されている。
【００２８】
この第１切替部７０では、所定の通電信号として切替制御回路８５のＶｏｕｔ１端子からトランジスタＴＲ１のベースにハイの電圧が入力されると、トランジスタＴＲ１がオンとなり発光ダイオードＬＥＤ１に電流が流れて発光ダイオードＬＥＤ１が点灯する。そして、この発光ダイオードＬＥＤ１が点灯し且つ交流電源１０のゼロクロスポイントをゼロクロス回路ＺＣ１が検出すると、そのタイミングで補助トライアックＴＳ１のＧ端子に電流が流れて補助トライアックＴＳ１のＴ１，Ｔ２間が導通する。そして、補助トライアックＴＳ１のＴ１，Ｔ２端子間の導通により主トライアックＴＭ１のＧ端子に電流が流れて主トライアックＴＭ１のＴ１，Ｔ２端子間が導通し、第１負荷４６が通電状態となる。このように、第１切替部７０は、通電信号が入力されるとその通電信号が入力された以降の直近の交流電源１０のゼロクロスポイントで主トライアックＴＭ１がオンとなり第１負荷４６を通電状態にする。一方、所定の非通電信号として切替制御回路８５のＶｏｕｔ１端子からトランジスタＴＲ１のベースにローの電圧が入力されると、トランジスタＴＲ１がオフとなり発光ダイオードＬＥＤ１は電流が流れず消灯する。すると、補助トライアックＴＳ１，主トライアックＴＭ１は、トライアックのラッチング作用により交流電源１０のゼロクロスポイントでオフとなり、第１負荷４６は非通電状態となる。このように、第１切替部７０は、非通電信号が入力されるとその非通電信号が入力された以降の直近の交流電源１０のゼロクロスポイントで主トライアックＴＭ１がオフとなり第１負荷４６を非通電状態にする。なお、プルアップ抵抗Ｒｖ１の抵抗値は、トランジスタＴＲ１がオンになって流れるコレクター電流が回路の許容値以下に制限されるように適切な値（例えば、１ｋΩ）に設定されている。
【００２９】
第２切替部７５は、第２負荷４７の通電状態と非通電状態とを切り替える回路であり、第１負荷４６及び切替制御回路８５のＶｏｕｔ１端子の代わりに第２負荷４７及び切替制御回路８５のＶｏｕｔ２端子に接続されている点以外は、第１切替部７０と同様の構成である。すなわち、第２切替部７５は、トライアックカプラー７６と、主トライアックＴＭ２と、抵抗Ｒ２と、トランジスタＴＲ２とを備えている。トライアックカプラー７６は、プルアップ抵抗Ｒｖ２を介して直流電源Ｖｃｃにアノードが接続されトランジスタＴＲ２のコレクターにカソードが接続された発光ダイオードＬＥＤ２と、交流電源１０のゼロクロスポイントを検出するゼロクロス回路ＺＣ２が接続された周知のゼロクロス回路付きトライアックとして構成された補助トライアックＴＳ２と、を備えている。主トライアックＴＭ２は、Ｇ（ゲート）端子に補助トライアックＴＳ２のＴ２端子が接続され、自身のＴ２端子に抵抗Ｒ２を介して補助トライアックＴＳ２のＴ１端子が接続されている。また、主トライアックＴＭ２のＴ１，Ｔ２端子は第２負荷４７と直列に接続されている。トランジスタＴＲ２は、ベースが切替制御回路８５のＶｏｕｔ２端子に接続され、エミッターがグランドに接地され、コレクターが発光ダイオードＬＥＤ２とプルアップ抵抗Ｒｖ２とを介して直流電源Ｖｃｃに接続されている。
【００３０】
この第２切替部７５では、所定の通電信号として切替制御回路８５のＶｏｕｔ２端子からトランジスタＴＲ２のベースにハイの電圧が入力されると、トランジスタＴＲ２がオンとなり発光ダイオードＬＥＤ２に電流が流れて発光ダイオードＬＥＤ２が点灯する。続いて、この発光ダイオードＬＥＤ２が点灯し且つ交流電源１０のゼロクロスポイントをゼロクロス回路ＺＣ２が検出すると、そのタイミングで補助トライアックＴＳ２のＧ端子に電流が流れて補助トライアックＴＳ２のＴ１，Ｔ２間が導通する。そして、補助トライアックＴＳ２のＴ１，Ｔ２端子間の導通により主トライアックＴＭ２のＧ端子に電流が流れて主トライアックＴＭ２のＴ１，Ｔ２端子間が導通し、第２負荷４７が通電状態となる。このように、第２切替部７５は、通電信号が入力されるとその通電信号が入力された以降の直近の交流電源１０のゼロクロスポイントで主トライアックＴＭ２がオンとなり第２負荷４７を通電状態にする。一方、所定の非通電信号として切替制御回路８５のＶｏｕｔ２端子からトランジスタＴＲ２のベースにローの電圧が入力されると、トランジスタＴＲ２がオフとなり発光ダイオードＬＥＤ２は電流が流れず消灯する。すると、補助トライアックＴＳ２，主トライアックＴＭ２は、トライアックのラッチング作用により交流電源１０のゼロクロスポイントでオフとなり、第２負荷４７は非通電状態となる。このように、第２切替部７５は、非通電信号が入力されるとその非通電信号が入力された以降の直近の交流電源１０のゼロクロスポイントで主トライアックＴＭ２がオフとなり第２負荷４７を非通電状態にする。なお、プルアップ抵抗Ｒｖ２の抵抗値は、トランジスタＴＲ２がオンになって流れるコレクター電流が回路の許容値以下に制限されるように適切な値（例えば、１ｋΩ）に設定されている。
【００３１】
ゼロクロス検出部８０は、交流電源１０のゼロクロスポイントを検出する回路であり、全波整流回路８１と、抵抗Ｒ３と、フォトカプラー８２とを備えている。全波整流回路８１は、ダイオードブリッジとして構成され、自身の入力端子が入力端子６２ａ，６２ｂ間に接続されており、交流電源１０からの電圧を整流する。フォトカプラー８２は、発光ダイオードＬＥＤ３とフォトトランジスタＰＴとで構成されている。発光ダイオードＬＥＤ３は、全波整流回路８１の出力端子のうち高電位側に抵抗Ｒ３を介してアノードが接続されると共に全波整流回路８１の出力端子のうち低電位側にカソードが接続されている。フォトトランジスタＰＴは、コレクターがプルアップ抵抗Ｒｖ３を介して直流電源Ｖｃｃに接続されると共に切替制御回路８５の後述するＶｉｎ端子に接続されており、エミッターがグランドに接地されている。このゼロクロス検出部８０では、全波整流回路８１により整流された交流電源１０の電圧が発光ダイオードＬＥＤ３に印加される。そのため、交流電源１０のゼロクロスポイント付近では発光ダイオードＬＥＤ３が消灯してフォトトランジスタＰＴがオフとなり、Ｖｉｎ端子の電圧はハイとなる。一方、それ以外の場合は発光ダイオードＬＥＤ３が点灯してフォトトランジスタＰＴがオンとなるためフォトトランジスタＰＴにコレクター電流が流れて、Ｖｉｎ端子の電圧はローとなる。このように、ゼロクロス検出部８０は、フォトトランジスタＰＴのオンオフによって、交流電源１０のゼロクロスポイントを検出する。
【００３２】
切替制御回路８５は、マイクロコンピューター（マイコン）として構成され、直流電源Ｖｃｃが入力されるＶｃｃ端子と、コントローラー５０からヒーター４５の切替信号が入力されるＶｓ端子と、プルアップ抵抗Ｒｖ３を介して直流電源Ｖｃｃに接続されると共にフォトトランジスタＰＴのコレクターに接続されるＶｉｎ端子と、第１切替部７０のトランジスタＴＲ１のベースに接続されるＶｏｕｔ１端子と、第２切替部７５のトランジスタＴＲ２のベースに接続されるＶｏｕｔ２端子と、グランドに接地されるＧＮＤ端子と、を備えている。Ｖｃｃ端子及びＧＮＤ端子は切替制御回路８５の制御電圧の入力端子であり、Ｖｃｃ端子とＧＮＤ端子との間に印加される直流電源Ｖｃｃからの電圧により、切替制御回路８５は動作する。Ｖｉｎ端子は、ゼロクロス検出部８０のフォトトランジスタＰＴがオンのときにはグランドと同電位すなわちローとなり、フォトトランジスタＰＴがオフのときには直流電源Ｖｃｃと同電位すなわちハイとなる。
【００３３】
この切替制御回路８５は、コントローラー５０からの切替信号を入力したときすなわちＶｓ端子がハイとなると、それ以降の直近のゼロクロスポイントをＶｉｎ端子の電位がハイとなったことにより検出する。そして、そのゼロクロスポイントから所定の遅延時間Ｄだけ経過後のタイミングで、第１切替部７０と第２切替部７５との一方すなわちＶｏｕｔ１端子とＶｏｕｔ２端子との一方に通電信号としてのハイの電圧を出力し、他方に非通電信号としてのローの電圧を出力する。ここで、切替制御回路８５は、常に第１負荷４６と第２負荷４７との一方を通電状態にし他方を非通電状態にしておくものとし、コントローラー５０から切替信号を入力する度に、第１負荷４６と第２負荷４７とを交互に通電状態にするように通電信号及び非通電信号を出力するものとした。例えば、第１負荷４６が通電状態であり第２負荷４７が非通電状態であるときに、コントローラー５０から切替信号を入力すると、切替制御回路８５は、Ｖｏｕｔ１端子から出力する電圧をハイからローにして第１切替部７０に非通電信号を出力すると共に、Ｖｏｕｔ２端子から出力する電圧をローからハイにして第２切替部７５に通電信号を出力する。なお、以降の説明では、通電信号と非通電信号とをあわせて制御信号と表記する場合がある。また、切替制御回路８５は、ゼロクロス検出部８０により検出された交流電源１０のゼロクロスポイントの時間間隔として、Ｖｉｎ端子の電位がハイとなる立ち上がりの時間間隔Ｔを測定しており、この時間間隔Ｔの半分の時間を遅延時間Ｄとして設定している。なお、切替制御回路８５は、Ｖｉｎ端子の電位がハイとなる度に時間間隔Ｔを測定して遅延時間Ｄの値を更新するものとした。
【００３４】
コントローラー５０は、ＣＰＵ５２を中心とするマイクロプロセッサーとして構成されており、一時的にデータを記憶したりデータを保存したりするＲＡＭ５４と、各種処理プログラムを記憶しデータを書き換え可能なフラッシュメモリー５５と、を備えている。このコントローラー５０には、例えばパソコンなどの外部機器との情報のやり取りを行う図示しないインターフェース（Ｉ／Ｆ）やデータの入出力を行う図示しない入出力ポートなどが接続されている。コントローラー５０には、エンコーダー３６からのポジション信号や温度センサー３８からの信号などが入力ポートを介して入力されている。また、コントローラー５０からは、印刷ヘッド２４への駆動信号や、駆動モーター３３，キャリッジモーター３４ａへの駆動信号、切替制御回路８５のＶｓ端子への切替信号などが出力ポートを介して出力されている。
【００３５】
こうして構成されたプリンター２０は、例えばプリンター２０に接続されたパソコンを介してユーザーから記録紙Ｓへ画像の印刷をするよう指示されると、コントローラー５０が印刷対象の画像データをパソコンから入力し、これをＲＡＭ７４の印刷バッファー領域に記憶すると共に、画像データに基づく画像を記録紙Ｓに形成する印刷処理ルーチンを実行する。印刷処理ルーチンでは、コントローラー５０が駆動モーター３３を制御して印刷媒体Ｓを搬送させる処理と、キャリッジモーター３４ａを制御してキャリッジ２２を移動させながら印刷ヘッド２４のノズルからインクを吐出して画像データのうち１パス分の印刷を行う処理とを繰り返し行って、印刷媒体Ｓに画像を形成する。このとき、コントローラー５０は、温度センサー３８が測定した温度に基づいて、印刷媒体Ｓが一定の温度で加熱されるようにヒーター制御部６１の切替制御回路８５に切替信号を出力する。例えば、温度センサー３８が測定した印刷媒体Ｓの温度が所定の閾値を超えているときには、第１負荷４６を非通電状態とし第２負荷４７を通電状態としてヒーター４５の発熱量を小さくするよう、切替制御回路８５に切替信号を出力する。また、印刷媒体Ｓの温度が所定の閾値未満であるときには、第１負荷４６を通電状態とし第２負荷４７を非通電状態としてヒーター４５の発熱量を大きくするよう、切替制御回路８５に切替信号を出力する。
【００３６】
このようにコントローラー５０が切替信号を出力して、第１負荷４６及び第２負荷４７の通電／非通電を切り替えるときのヒーター制御部６１の動作について説明する。図３は、コントローラー５０からの切替信号によりヒーター制御部６１が第１負荷４６，第２負荷４７の通電／非通電を切り替えるときにおける、Ｖｓ端子の電位，交流電源１０の電圧Ｖ，Ｖｉｎ端子の電位，Ｖｏｕｔ端子の電位、第１負荷４６の電流Ｉ１，Ｖｏｕｔ２端子の電位，第２負荷４７の電流Ｉ２，ヒーター４５の合計負荷電流（Ｉ１＋Ｉ２）の関係を示すグラフである。図示するように、Ｖｏｕｔ１端子の電位がローでＶｏｕｔ２端子の電位がハイであるときすなわち第１負荷４６が非通電状態（Ｉ１＝０）で第２負荷４７が通電状態であるときに、時刻ｔ１においてコントローラー５０から切替信号が入力されてＶｓ端子の電位がハイになったとする。この場合、まず、ヒーター制御部６１の切替制御回路８５は、次に交流電源１０の電圧がゼロクロスポイントとなるときすなわちＶｉｎ端子の電位がハイになるまで待つ。そして、交流電源１０の電圧がゼロクロスポイントとなりゼロクロス検出部８０のフォトトランジスタＰＴがオンし、時刻ｔ２においてＶｉｎ端子の電位がハイになると、時刻ｔ２から遅延時間ＤすなわちＶｉｎ端子の電位がハイとなる立ち上がりの時間間隔Ｔの半分の時間だけ経過後の時刻ｔ３において、第１負荷４６に通電信号を出力すると共に第２負荷４７に非通電信号を出力する。すなわち、時刻ｔ３においてＶｏｕｔ１端子の電位をローからハイにし、Ｖｏｕｔ２端子の電位をハイからローにする。このように遅延時間Ｄ＝Ｔ／２だけ遅延させてから通電信号及び非通電信号を出力することで、図からわかるように通電信号及び非通電信号が出力される時刻ｔ３は交流電源１０の電圧のピーク値付近、すなわち連続する２つのゼロクロスポイントの中間付近となる。そして、時刻ｔ３でＶｏｕｔ１端子がハイになると、第１切替部７０により時刻ｔ３以降の直近のゼロクロスポイントである時刻ｔ５において第１負荷４６が通電状態となり電流Ｉ１が流れる。一方、図示するようにＶｏｕｔ２端子の電位は時刻ｔ３でハイからローにするはずが実際には時刻ｔ３より時間αだけさらに後の時刻ｔ４においてハイからローになったとする。このような場合、第１負荷４６への通電信号の出力と第２負荷４７への非通電信号の出力とのタイミングが時間αだけずれることになる。しかし、図示するように時刻ｔ３はゼロクロスポイントの中間付近であるため、時間αだけずれたとしても、時刻ｔ４が時刻ｔ５を超えないため、第２切替部７５が時刻ｔ４以降の直近のゼロクロスポイントである時刻ｔ５において第２負荷４７を非通電状態にする。このため、通電信号の出力タイミングと非通電信号の出力タイミングとがずれていても、第１負荷４６が通電状態になるゼロクロスポイントと第２負荷４７が非通電状態になるゼロクロスポイントとが同じになり、過電流状態や無負荷状態にはならない。
【００３７】
このように、ヒーター制御部６１では、ゼロクロス検出部８０により検出された交流電源のゼロクロスポイント（時刻ｔ２）からあえて遅延時間Ｄ＝Ｔ／２だけ経過した後のタイミングで通電信号や非通電信号を出力することで、両者のタイミングにずれが生じても第１負荷４６と第２負荷４７とが異なるゼロクロスポイントで切り替わるのを抑制するのである。なお、図３では第１負荷４６を通電状態にし第２負荷４７を非通電状態にする場合について説明したが、第１負荷４６を非通電状態にし第２負荷４７を通電状態にする場合も同様である。また、図３では第２負荷４７への制御信号の出力タイミング（時刻ｔ４）が第１負荷４６への制御信号の出力タイミング（時刻ｔ３）と比べて遅れた場合について示しているが、第１負荷４６への制御信号の出力タイミングが遅れた場合や、第１負荷４６及び第２負荷４７の少なくとも一方への出力タイミングが早まり遅延時間Ｄ経過前になされた場合などについても同様に、第１負荷４６と第２負荷４７とが異なるゼロクロスポイントで切り替わるのを抑制することができる。このような制御信号の出力タイミングのずれは、例えば、交流電源１０の波形の歪み，電流と電圧との位相差（力率），切替信号の立ち上がり又は立ち下がりの波形の歪み，制御信号を出力するまでの切替制御回路８５内部での遅延のばらつきなどによって生じる。また、例えば制御信号の立ち上がり又は立ち下がり波形に歪みが生じた場合には、第１負荷４６及び第２負荷４７への制御信号の出力タイミングが同じであっても第１切替部７０と第２切替部７５との動作タイミングがずれることがある。このような場合でも、図３で説明した場合と同様に、ゼロクロス検出部８０により検出された交流電源のゼロクロスポイントから遅延時間Ｄだけ経過した後のタイミングで切替制御回路８５が通電信号や非通電信号を出力することで、第１負荷４６と第２負荷４７とが異なるゼロクロスポイントで切り替わるのを抑制することができる。
【００３８】
ここで、比較のために遅延時間Ｄ＝０とした場合のヒーター制御部６１の動作について説明する。図４は、遅延時間Ｄ＝０であり過電流状態が生じた場合の一例を示すグラフである。図５は、遅延時間Ｄ＝０であり無負荷状態が生じた場合の一例を示すグラフである。なお、図４、図５は時刻ｔ２までは図３と同じ動作であるため、説明を省略する。図４に示すように、時刻ｔ２においてＶｉｎ端子の電位がハイになったときに、遅延時間Ｄ＝０であると、切替制御回路８５は直ちにＶｏｕｔ１端子の電位をハイに且つＶｏｕｔ２端子の電位をローにする。このとき、図示するようにＶｏｕｔ１端子が時刻ｔ２でハイになったとすると、第１切替部７０により時刻ｔ２以降の直近のゼロクロスポイントである時刻ｔ６において第１負荷４６が通電状態となり電流Ｉ１が流れる。すなわち、ゼロクロス検出部８０が検出したゼロクロスポイントと同じゼロクロスポイントで第１負荷４６が通電状態となる。一方、Ｖｏｕｔ２端子の電圧が実際には時刻ｔ２より後の時刻ｔ７においてハイからローになったとする。この場合、時刻ｔ７は時刻ｔ６よりも後であるため、第１切替部７０により時刻ｔ７以降の直近のゼロクロスポイントである時刻ｔ８において第２負荷４７が非通電状態となる。これにより、第１負荷４６が通電状態になるゼロクロスポイントと第２負荷４７が非通電状態になるゼロクロスポイントとが異なってしまい、時刻ｔ６，ｔ８間は第１負荷４６と第２負荷４７とが共に通電して過電流状態となる。同様に、図５では、Ｖｏｕｔ２端子が時刻ｔ２でローになりゼロクロス検出部８０が検出したゼロクロスポイントと同じゼロクロスポイントである時刻ｔ６で非通電状態になったが、Ｖｏｕｔ１端子は時刻ｔ６よりも後の時刻ｔ９でハイになり第１切替部７０により時刻ｔ９以降の直近のゼロクロスポイントである時刻ｔ１０において第１負荷４６が通電状態となっている。これにより、第１負荷４６が通電状態になるゼロクロスポイントと第２負荷４７が非通電状態になるゼロクロスポイントとが異なってしまい、時刻ｔ６，ｔ１０間は第１負荷４６と第２負荷４７とが共に非通電状態となって無負荷状態となる。このように、遅延時間Ｄ＝０とすると、ゼロクロス検出部８０が検出したゼロクロスポイント付近で通電信号や非通電信号が出力されるため、わずかなタイミングのずれでも第１負荷４６及び第２負荷４７が切り替わるゼロクロスポイントが異なってしまいやすく、過電流状態や無電流状態が生じやすい。
【００３９】
ここで、本実施形態の構成要素と本発明の構成要素との対応関係を明らかにする。本実施形態のヒーター制御部６１が本発明の負荷制御装置に相当し、第１切替部７０が第１切替手段に相当し、第２切替部７５が第２切替手段に相当し、ゼロクロス検出部８０がゼロクロス検出手段に相当し、切替制御回路８５が切替制御手段に相当し、第１負荷４６が第１負荷に相当し、第２負荷４７が第２負荷に相当し、印刷ヘッド２４がヘッドに相当する。
【００４０】
以上説明した本実施形態のプリンター２０によれば、ヒーター制御部６１の切替制御回路８５は、ゼロクロス検出部８０により検出された交流電源１０のゼロクロスポイントから所定の遅延時間Ｄ経過後のタイミングで、第１切替部７０と第２切替部７５との一方に通電信号を出力すると共に他方に非通電信号を出力する。そして、第１切替部７０は、通電信号又は非通電信号が入力されると、入力された以降の直近の交流電源１０のゼロクロスポイントで第１負荷４６を通電状態又は非通電状態にする。第２切替部７５についても、通電信号又は非通電信号が入力されると、入力された以降の直近の交流電源１０のゼロクロスポイントで第２負荷４７を通電状態又は非通電状態にする。こうすることで、２つの負荷をより確実に同じゼロクロスポイントで切り替えることができる。また、２つの負荷をより確実に同じゼロクロスポイントで切り替えることにより瞬間的な過電流状態や無負荷状態の発生をより抑制できる。
【００４１】
また、切替制御回路８５は、ゼロクロス検出部８０により検出されたゼロクロスポイントの時間間隔Ｔに基づいて遅延時間Ｔを設定するため、ゼロクロスポイントの時間間隔すなわち交流電源１０の周期に応じて遅延時間を可変とすることができる。これにより、遅延時間を適切な値に設定しやすい。そして、切替制御回路８５は、ゼロクロス検出部８０により検出されたゼロクロスポイントの時間間隔Ｔの半分の時間を遅延時間Ｄとして設定するため、第１切替部７０及び第２切替部７５に通電信号や非通電信号が入力されるタイミングが交流電圧の連続するゼロクロスポイントの中間付近となる。これにより、２つの負荷をより確実に同じゼロクロスタイミングで切り替えることができる。
【００４２】
さらに、トライアックカプラー７１，７６と主トライアックＴＭ１，ＴＭ２とを用いて第１負荷４７や第２負荷４７の通電状態及び非通電状態の切替を行うことができる。また、トライアックカプラー７１，７６を用いるため、発光ダイオードＬＥＤ１，ＬＥＤ２に通電信号や非通電信号を出力する切替制御回路８５側の回路と、交流電源１０が印加される主トライアックＴＭ１，ＴＭ２や補助トライアックＴＳ１，ＴＳ２とを絶縁することができる。
【００４３】
さらにまた、ゼロクロス検出部８０は全波整流回路８１とフォトカプラー８２とを備えているため、フォトカプラー８２のフォトトランジスタＰＴのオンオフによりゼロクロスポイントを検出することができる。また、交流電源１０からの整流後の電圧が印加される発光ダイオードＬＥＤ３とフォトトランジスタＰＴとが絶縁されるため、例えばゼロクロスポイントの検出結果を用いる切替制御回路８５など、フォトトランジスタＰＴに接続される回路を交流電源１０から絶縁することができる。
【００４４】
そしてまた、ヒーター制御部６１は比較的大きな電流で動作するヒーター素子である第１負荷４６及び第２負荷４７を切り替えるため、２つの負荷をより確実に同じゼロクロスタイミングで切り替えて過電流状態や無負荷状態の発生を抑制する意義が高い。
【００４５】
なお、本発明は上述した実施形態に何ら限定されることはなく、本発明の技術的範囲に属する限り種々の態様で実施し得ることはいうまでもない。
【００４６】
例えば、上述した実施形態では、遅延時間Ｄ＝Ｔ／２としたが、これに限られない。例えば、Ｔ／３など、時間間隔Ｔに基づく他の値として遅延時間Ｄを定めてもよい。また、遅延時間Ｄが測定した時間間隔Ｔに基づかない予め定められた値としてもよい。例えば、交流電源１０の周期が既知である場合には、予め遅延時間Ｄを交流電源１０の１／４周期として定めておくものとしてもよい。こうすれば、ゼロクロスポイントの時間間隔Ｔに基づいて遅延時間Ｄを設定する処理を行うことなく、第１切替部７０及び第２切替部７５に通電信号や非通電信号が入力されるタイミングを交流電圧の連続するゼロクロスポイントの中間付近とすることができる。
【００４７】
上述した実施形態では、切替制御回路８５はマイコンとしたが、パワー素子（電力用半導体素子）等を用いて同様の機能を有する回路を構成してもよい。パワー素子はマイコンに比して不安定な遅延が発生したり電圧が歪んだりしやすく、これにより通電信号と非通電信号とがずれるなど、第１負荷４６と第２負荷４７との切替タイミングがずれやすいため、本発明を適用する意義が高い。
【００４８】
上述した実施形態では、ゼロクロス検出部８０は、全波整流回路８１とフォトカプラー８２とにより構成するものとしたが、交流電源１０のゼロクロスを検出するものであればこれに限られない。例えば、グランドを基準電圧とした比較器を用いて交流電源１０のゼロクロスを検出する回路としてもよい。
【００４９】
上述した実施形態では、第１負荷４６と第２負荷４７との抵抗値が異なるものとしたが、これに限らず、同じとしてもよい。また、印刷媒体Ｓの温度が一定になるように第１負荷４６と第２負荷４７との通電／非通電の切替を行うものとしたが、これに限られない。例えば、プリンター２０の印刷開始時から所定期間は第２負荷４７を発熱させて印刷媒体Ｓの搬送方向奥側を重点的に加熱するものとし、印刷が進むと印刷媒体Ｓは搬送方向手前側に移動していくため所定期間経過後は第１負荷４６を発熱させて印刷媒体Ｓの搬送方向手前側を加熱するものとするなど、第１負荷４６と第２負荷４７とを切り替えることで加熱する領域を変更するものとしてもよい。
【００５０】
上述した実施形態では、切替制御回路８５は、コントローラー５０から切替信号を入力する度に、第１負荷４６と第２負荷４７とを交互に通電状態にするように通電信号及び非通電信号を出力するものとしたが、これに限らず、切替制御回路は第１負荷及び第２負荷のそれぞれについて通電状態にするか非通電状態にするかの切替を行うものであればよい。例えば、切替制御回路８５は、コントローラー５０からの信号に基づいて、第１負荷４６と第２負荷４７とをいずれも非通電状態にする第１状態と、第１負荷４６を通電状態にし第２負荷４７を非通電状態にする第２状態と、第１負荷４６を非通電状態にし第２負荷４７を通電状態にする第３状態と、第１負荷４６と第２負荷４７とをいずれも通電状態にする第４状態と、のいずれかの状態に第１負荷４６と第２負荷４７とを切り替えるようＶｏｕｔ１端子，Ｖｏｕｔ２端子から通電信号又は非通電信号を出力するものとしてもよい。この場合でも、第２状態から第３状態への切替や、第３状態から第２状態への切替の際に、本実施形態と同様に第１負荷４６と第２負荷４７とをより確実に同じゼロクロスポイントで切り替えることができる効果が得られる。
【００５１】
上述した実施形態では、ヒーター制御部６１は、プリンター２０において印刷媒体Ｓを加熱して印刷媒体Ｓに吐出されたインクを乾燥させるヒーター４５の第１負荷４６及び第２負荷４７の通電／非通電を切り替えるものとしたが、プリンター２０の他の用途に用いるヒーターやプリンター２０以外の機器で用いるヒーターなど、どのようなヒーターを制御するものとしてもよい。
【００５２】
上述した実施形態では、ヒーター制御部６１はヒーター素子としての第１負荷４６及び第２負荷４７の切替を行うものとしたが、どのような負荷の切替を行うものとしてもよい。例えば、第１負荷４６，第２負荷４７がハロゲンランプやファンなどの負荷であるものとしてもよい。
【符号の説明】
【００５３】
１０  交流電源、２０  プリンター、２１  印刷機構、２２  キャリッジ、２４  印刷ヘッド、２６  インクカートリッジ、２８  ガイド、３１  搬送機構、３２  キャリッジベルト、３３  駆動モーター、３４ａ  キャリッジモーター、３４ｂ  従動ローラー、３５  搬送ローラー、３６  エンコーダー、３８  温度センサー、４０  プラテン、４１  キャッピング装置、４２  カバー、４５  ヒーター、４６  第１負荷、４７  第２負荷、４８  メカフレーム、５０  コントローラー、５２  ＣＰＵ，５４  ＲＡＭ、５５  フラッシュメモリー、６０  電源回路、６１  ヒーター制御部、６２ａ，６２ｂ  入力端子、６５  ヒューズ、７０  第１切替部、７１  トライアックカプラー、７５  第２切替部、７６  トライアックカプラー、８０  ゼロクロス検出部、８１  全波整流回路、８２  フォトカプラー、８５  切替制御回路、ＬＥＤ１〜ＬＥＤ３  発光ダイオード、ＰＴ  フォトトランジスタ、Ｒ１，Ｒ２，Ｒ３  抵抗、Ｒｖ１，Ｒｖ２，Ｒｖ３  プルアップ抵抗、Ｓ  印刷媒体、ＴＭ１，ＴＭ２  主トライアック、ＴＳ１，ＴＳ３  補助トライアック。
【図１】
2013169130.tif 000003
【図２】
2013169130.tif 000004
【図３】
2013169130.tif 000005
【図４】
2013169130.tif 000006
【図５】
2013169130.tif 000007